(57)【特許請求の範囲】
【請求項１】
録画中において、文字スーパー情報を受信した場合には、受信した文字スーパー情報を記憶手段に記憶していく第１手段、および
録画終了時刻の所定時間前になったときに、記憶手段に記憶されている文字スーパー情報に対応する文字スーパー画像信号を録画出力端子に出力させる第２手段、
を備えているデジタルテレビ放送受信機。
【請求項２】
第２手段は、録画終了時刻の所定時間前になったときに、録画番組に対する映像信号の録画出力端子への出力を停止させ、記憶手段に記憶されている文字スーパー情報に対応する文字スーパー画像信号を録画出力端子に出力させるものである請求項１に記載のデジタルテレビ放送受信機。
【請求項３】
第２手段は、録画終了時刻の所定時間前になったときに、録画番組に対する映像信号と、記憶手段に記憶されている文字スーパー情報に対応する文字スーパー画像信号とを合成し、得られた合成信号を録画出力端子に出力させるものである請求項１に記載のデジタルテレビ放送受信機。
【発明の詳細な説明】
【０００１】
【発明の属する技術分野】
この発明は、デジタルテレビ放送受信機に関する。
【０００２】
【従来の技術と発明が解決しようとする問題点】
ＢＳデジタル放送では、”速報ニュース”、”編成ことわり”、”時報”等をユーザに知らせる”文字スーパー”というデータ放送が運用される。ＢＳデジタル放送を受信する受信機は、ユーザが録画予約を行なう際に、文字スーパーを録画するかどうかをユーザに選択させる機能を備えている。
【０００３】
文字スーパーには、その地域で起きた災害などの情報が含まれているので、ユーザは予約録画中に放送された文字スーパーの情報をも録画しておきたいと考える場合が多い。このように、文字スーパーをも録画した場合には、再生時に、文字スーパーが表示されるので、文字スーパー情報を認識できるが、本来の録画番組画面に文字スーパーが表示されるため、本来の録画番組の雰囲気を壊すことにもなりかねない。
【０００４】
【発明が解決しようとする課題】
この発明は、録画中に放送された文字スーパーの情報を確認することができるとともに、本来の録画番組のみを再生することが可能となるデジタルテレビ放送受信機を提供することを目的とする。
【０００５】
【課題を解決するための手段】
この発明によるデジタルテレビ放送受信機は、録画中において、文字スーパー情報を受信した場合には、受信した文字スーパー情報を記憶手段に記憶していく第１手段、および録画終了時刻の所定時間前になったときに、記憶手段に記憶されている文字スーパー情報に対応する文字スーパー画像信号を録画出力端子に出力させる第２手段を備えていることを特徴とする。
【０００６】
第２手段としては、たとえば、録画終了時刻の所定時間前になったときに、録画番組に対する映像信号の録画出力端子への出力を停止させ、記憶手段に記憶されている文字スーパー情報に対応する文字スーパー画像信号を録画出力端子に出力させるものが用いられる。
【０００７】
第２手段としては、たとえば、録画終了時刻の所定時間前になったときに、録画番組に対する映像信号と、記憶手段に記憶されている文字スーパー情報に対応する文字スーパー画像信号とを合成し、得られた合成信号を録画出力端子に出力させるものが用いられる。
【０００８】
【発明の実施の形態】
以下、図面を参照して、この発明の実施の形態について説明する。
【０００９】
図１は、デジタルテレビ放送受信機の電気的構成を示している。
【００１０】
放送波は、アンテナ１を介してチューナ部２に送られ、高周波処理および復調が行われる。チューナ部２からの出力はトランスポートストリーム分離部（以下、ＴＳ分離部という）３に送られる。
【００１１】
ＴＳ分離部３では、ユーザが指定したチャンネルの映像、音声、番組情報などを取得するためのフィルタリングが行なわれる。フィルタリングされた音声は音声処理部４に送られる。フィルタリングされた映像は映像処理部５に送られる。フィルタリングされた番組情報はＯＳＤ部６に送られる。
【００１２】
音声処理部４、映像処理部５およびＯＳＤ部６に送られた情報は図示しないメモリに蓄積される。メモリに蓄積された音声データと映像データとは、そのデータに付属している時間情報が、システムで計時されている時刻に一致すると、出力される。番組情報はアプリケーションによって出力制御される。
【００１３】
文字スーパーの情報もＴＳ分離部３でフィルタリングされ、ＯＳＤ部６に送られる。ＯＳＤ部６は、取得した文字スーパーの情報を映像に合成してモニタに出力する。
【００１４】
チューナ部２およびＴＳ分離部３は、ＣＰＵ１０によって制御される。ＣＰＵ１０はメモリ１１を備えている。また、ＣＰＵ１０には、リモコン受光器１４を介して、リモコン送信２０からのリモコン信号が入力される。
【００１５】
従来の録画モードには、文字スーパー情報を録画しないで録画番組のみを録画する第１録画モードと、録画番組と文字スーパー情報とを録画する第２録画モードとがある。この実施の形態では、第１録画モードおよび第２録画モード以外に、第３録画モードが設けられている。
【００１６】
この第３録画モードでは、録画番組のみを録画していき、録画時において文字スーパーが放送された場合には、文字スーパー情報をメモリ１１に格納する。そして、録画終了時刻の所定時間前になると、録画番組の録画を停止し、メモリ１１に格納されている文字スーパー情報のみを録画する。
【００１７】
非録画時および第１録画モードによる録画時には、ビデオ専用出力端子には、映像処理部５の出力のみ送られる。第２録画モードによる録画時において、文字スーパーが存在しない場合には、ビデオ専用出力端子に映像処理部５の出力が送られ、文字スーパーがある場合には、ＯＳＤ部６の出力を映像処理部５で録画番組の映像と合成した映像がビデオ専用出力端子に送られる。
【００１８】
第３録画モードによる録画時には、まず、映像処理部５の出力のみがビデオ専用出力端子に送られ、録画終了時刻の所定時間前になると、メモリ１１に格納されている文字スーパー情報からなる文字スーパー画面のみまたは文字スーパー画面と録画番組の映像との合成画像がビデオ専用出力端子に送られる。
【００１９】
この実施の形態では、録画時において文字スーパーが放送された場合には、文字スーパー情報をメモリ１１に格納しておき、録画終了時刻の直前に、メモリ１１に格納されている文字スーパーのみを録画する。
【００２０】
図２は、第３録画モード時の文字スーパーの録画処理手順を示している。図２では、説明に便宜上、ＥＣＭによるスクランブル解除処理を省略している。
【００２１】
録画開始時刻になると、まず、録画対象チャンネル番号に対応するトランスポンダにチューニングを行なう（ステップ１）。
【００２２】
次に、ＰＡＴ（Ｐｒｏｇｒａｍ  Ａｓｓｏｃｉａｔｉｏｎ  Ｔａｂｌｅ）  を取得する（ステップ２）。ＰＡＴには、ＰＡＴが伝送されているトランスポンダでの、チャンネル番号とそれに関係するＰＭＴ（Ｐｒｏｇｒａｍ  Ｍａｐ  Ｔａｂｌｅ）  のＰＩＤ（パケット識別子）との対応情報が含まれている。取得したＰＡＴに基づいて、録画対象チャンネル番号に対応するＰＭＴ（Ｐｒｏｇｒａｍ  Ｍａｐ  Ｔａｂｌｅ）  のＰＩＤを取得する。
【００２３】
取得したＰＭＴのＰＩＤに基づいて、録画対象チャンネル番号に対応するＰＭＴのフィルタリングを開始する。これにより、録画対象チャンネル番号に対応するＰＭＴを取得する（ステップ３）。ＰＭＴには、番組を構成する音声、映像、データを特定するためのＥＳ（Ｅｌｅｍｅｎｔａｒｙ  Ｓｔｒｅａｍ）  のＰＩＤが含まれている。
【００２４】
録画番組に対する音声、映像は、録画番組に対する音声、映像のＥＳのＰＩＤを取得し、音声、映像をフィルタリングすることにより得られる。得られた録画番組に対する音声、映像は映像処理部５を介してビデオ出力端子から出力される。
【００２５】
上記ステップ３で取得したＰＭＴのコンポーネントタグを見て、文字スーパー情報が含まれているか否かを判別する（ステップ４）。文字スーパー情報が含まれており、かつ対象地域情報がユーザが設定している地域情報に一致している場合には（ステップ５でＹＥＳ）、取得したＰＭＴから文字スーパーのＰＩＤを取得し、文字スーパーのフィルタリングを開始する。これにより、文字スーパー情報および表示情報（表示時刻、表示位置情報等）を取得し、取得したメモリ１１に格納する（ステップ６）。そして、ステップ７に移行する。
【００２６】
上記ステップ４で文字スーパー情報が含まれていないと判定された場合または上記ステップ５で対象地域情報がユーザが設定している地域情報と一致していないと判定された場合には、ステップ７に移行する。
【００２７】
ステップ７では、録画終了時刻の所定時間前であるか否かを判別する。所定時間としては、たとえば、１〜２分の間の時間が設定される。録画終了時刻の所定時間前でなければ、ステップ３に戻る。そして、ステップ３以降の処理が再度実行される。なお、この場合、ステップ３では、最初にステップ２で取得したＰＭＴのＰＩＤに基づいて、録画対象チャンネル番号に対応するＰＭＴが取得される。
【００２８】
上記ステップ７において、録画終了時刻の所定時間前であると判定された場合には、メモリ１１に格納されている文字スーパー情報および表示情報（表示時刻、表示位置情報等）に基づいて、これらの文字スーパー情報のみを表示する場合の頁数を算出するとともに、録画終了時刻までの残り時間に基づいて各頁の表示時間を算出する（ステップ８）。
【００２９】
そして、算出された表示時間毎に、１頁分ずつ文字スーパー画像をＯＳＤ部６に生成させ、映像処理部５を介して録画出力端子に出力させる（ステップ９）。この際、録画番組の映像信号を録画出力端子から出力されないようにしてもよいし、録画番組の映像信号に文字スーパー画像を合成（スーパーインポーズ処理）したものを録画出力端子から出力させてもよい。
【００３０】
第３録画モードによって予約録画が行なわれた場合において、録画時間中に文字スーパーが放送されていた場合には、この後にＴＶの電源が入れられたときに、文字スーパーが録画された旨をモニタに表示させることが好ましい。
【００３１】
第３録画モードによる録画終了後において、ユーザがビデオテープを少し巻き戻した後に再生を開始させることによって、録画時間中に放送された文字スーパーの情報をまとめてみることができる。図３に、再生された文字スーパー画面の一例を示しておく。
【００３２】
第３録画モードで録画を行なった場合には、文字スーパーの情報は、録画番組とは別に録画されているので、録画番組を再生した場合に、録画番組に文字スーパーが表示されなくなる。このため、録画番組の雰囲気が文字スーパーによって壊されるといったことがなくなる。
【００３３】
なお、文字スーパー情報には”時報”も含まれている場合があるが、この”時報”を表す文字スーパー情報をメモリ１１に格納しないようにしてもよい。”時報”を表す文字スーパー情報をメモリ１１に記憶させないようにするには、ＰＭＴのデータ符号記述子内に、文字スーパーが番組に対して同期するか同期しないか（非同期）の指定があるので、番組に同期しない文字スーパーをメモリ１１に記憶する対象から外せばよい。
【００３４】
【発明の効果】
この発明によれば、録画中に放送された文字スーパーの情報を確認することができるとともに、本来の録画番組のみを再生することが可能となる。
【図面の簡単な説明】
【図１】デジタルテレビ放送受信機の構成を示すブロック図である。
【図２】第３録画モードによる文字スーパーの録画処理手順を示すフローチャートである。
【図３】第３録画モードによって録画された文字スーパー画面の一例を示す模式図である。
【符号の説明】
１  アンテナ
２  チューナ部
３  トランスポートストリーム分離部
４  音声処理部
５  映像処理部
６  ＯＳＤ部
１０  ＣＰＵ
【図１】
0003600109.tif 000002
【図２】
0003600109.tif 000003
【図３】
0003600109.tif 000004